(57)【要約】【課題】駆動回路と外部装置とを結ぶ経路の信号線数、端子数の増加を招くことなく、駆動信号生成回路の状態を示す状態信号を外部装置に供給する。【解決手段】外部装置２０００に接続された入力端子および出力端子と、外部装置２０００から入力端子を介して入力される同期信号を用いて電気光学パネル１０を駆動する駆動信号を生成する信号生成処理を行う駆動信号生成回路４００と、駆動信号生成回路４００の動作状態を示す状態信号を生成する状態信号生成回路５１０と、同期信号に状態信号を重畳した戻り信号を生成する戻り信号生成回路５２０と、出力端子から外部装置２０００へ戻り信号を出力する出力回路５３０とを駆動回路１０００に設けた。【選択図】図１
2020160104.tif 000002
【特許請求の範囲】
【請求項１】
電気光学パネルを駆動する駆動回路であって、
外部装置に接続された入力端子および出力端子と、
前記外部装置から前記入力端子を介して入力される同期信号を用いて、前記電気光学パネルを駆動する駆動信号を生成する駆動信号生成回路と、
前記駆動信号生成回路の動作状態を示す状態信号を生成する状態信号生成回路と、
前記同期信号に前記状態信号を重畳した戻り信号を生成する戻り信号生成回路と、
前記出力端子から前記外部装置へ前記戻り信号を出力する出力回路と、
を備える駆動回路。
【請求項２】
前記戻り信号生成回路は、前記同期信号のパルスから所定時間が経過後の期間に前記状態信号を重畳して前記戻り信号を生成することを特徴とする請求項１に記載の駆動回路。
【請求項３】
前記動作状態は、動作が正常であること示す正常状態と、異常であることを示す異常状態とを含み、前記状態信号は前記異常状態における異常の内容を示すことを特徴とする請求項１又は２に記載の駆動回路。
【請求項４】
前記駆動信号生成回路には、前記電気光学パネルに表示すべき画像を示す画像データ、電源電圧、及び前記駆動信号を生成するために用いる制御信号が供給され、
前記異常の内容は、前記画像データに伝送エラーがあること、前記電源電圧に異常があること、及び前記制御信号に異常があることのうち、少なくなくも１つを含む、
ことを特徴とする請求項３に記載の駆動回路。
【請求項５】
前記駆動信号生成回路には、前記電気光学パネルに表示すべき画像を示す画像データ及び前記駆動信号を生成するために用いる制御信号が供給され、
前記外部装置は、前記画像データを生成するホスト装置又は、前記制御信号を生成する制御装置である、
ことを特徴とする請求項１から３までのうち何れか１項に記載の駆動回路。
【請求項６】
前記電気光学パネルは、第1の走査線及び第２の走査線を含み、
前記駆動信号生成回路は、前記第１の走査線及び第２の走査線を駆動する走査線駆動回路を備え、
前記同期信号は、前記走査線駆動回路に対し、１垂直走査に１個発信される垂直スタートパルス信号である、
ことを特徴とする請求項１から５までのうち何れか１項に記載の駆動回路。
【請求項７】
前記電気光学パネルは、第１のデータ線及び第２のデータ線を含み、
前記駆動信号生成回路は、前記第１及び第２のデータ線を駆動するデータ線駆動回路を備え、
前記同期信号は、前記データ線駆動回路に対し、１水平走査に１個発信される水平スタートパルス信号である、
ことを特徴とする請求項１から５までのうち何れか１項に記載の駆動回路。
【請求項８】
請求項１から７までのうち、いずれか1項に記載の駆動回路と、
前記駆動信号に基づいて駆動される電気光学パネルと、
を備える電気光学装置。
【請求項９】
請求項８に記載の電気光学装置を備える電子機器。
【請求項１０】
請求項９に記載の電子機器を備える移動体。
【発明の詳細な説明】
【技術分野】
【０００１】
この発明は、電気光学装置の駆動回路に関する。
【背景技術】
【０００２】
電気光学装置は、車載を含む幅広い用途への適用が進んでいることから、安全性に関する要求が厳しくなっている。特許文献１に開示の技術では、表示装置のドライバー回路部に異常判定部が設けられている。
【先行技術文献】
【特許文献】
【０００３】
【特許文献１】特開２０１７−１８３３５２号公報
【発明の概要】
【発明が解決しようとする課題】
【０００４】
しかしながら、表示装置のドライバー回路部に異常判定部を設けると、ドライバー回路部とこのドライバー回路部を制御する外部装置との間に制御信号等の伝送のための端子及び信号線に加えて異常判定信号の伝送のための信号線を設ける必要があった。
【課題を解決するための手段】
【０００５】
この発明開示の一態様による駆動回路は、電気光学パネルを駆動する駆動回路であって、外部装置に接続された入力端子および出力端子と、前記外部装置から前記入力端子を介して入力される同期信号を用いて、前記電気光学パネルを駆動する駆動信号を生成する駆動信号生成回路と、前記駆動信号生成回路の動作状態を示す状態信号を生成する状態信号生成回路と、前記同期信号に前記状態信号を重畳した戻り信号を生成する戻り信号生成回路と、前記出力端子から前記外部装置へ前記戻り信号を出力する出力回路と、を備える。
【図面の簡単な説明】
【０００６】
【図１】第１実施形態である駆動回路を含む電気光学装置の構成を示すブロック図である。
【図２】同実施形態における画素回路の構成を示す図である。
【図３】同実施形態における走査線駆動回路の構成を示すブロック図である。
【図４】同実施形態におけるデータ線駆動回路の構成を示すブロック図である。
【図５】同実施形態の動作を示すタイムチャートである。
【図６】第２実施形態である駆動回路の構成を示すブロック図である。
【図７】応用例である投射型表示装置の模式図である。
【図８】応用例であるパーソナルコンピューターの模式図である。
【図９】応用例である携帯電話機の模式図である。
【図１０】応用例である移動体の模式図である。
【発明を実施するための形態】
【０００７】
以下、図面を参照して実施の形態を説明する。ただし、各図において、各部の寸法及び縮尺は、実際のものと適宜に異ならせてある。また、以下に述べる実施の形態は、技術的に好ましい種々の限定が付されているが、実施の形態はこれらの形態に限られるものではない。
【０００８】
Ａ．第１実施形態
図１は、第１実施形態である駆動回路１０００を含む電気光学装置１のブロック図である。電気光学装置１は、電気光学パネル１０と、電気光学パネル１０を駆動する駆動回路１０００と、駆動回路１０００の制御を行う外部装置２０００とを具備する。以下説明する例において、外部装置２０００は、駆動回路１０００に画像データを供給するホスト装置としての機能と、駆動回路１０００に制御信号を供給する制御装置としての機能を併せ持つ。しかし、外部装置２０００は、ホスト装置としての機能のみを有する装置であってもよく、制御装置としての機能のみを有する装置であってもよい。電気光学装置１は、電気エネルギーにより光学特性が変化する電気光学物質を用いる装置である。電気光学物質としては、液晶、有機エレクトロルミネッセンス、電気泳動素子に用いられる帯電物質等が該当する。本実施形態では、電気光学物質として液晶を用いた電気光学パネルについて述べる。
【０００９】
電気光学パネル１０において、走査線２１に沿った軸をx軸とし、ｘ軸と直交する軸をｙ軸とする。ｘ軸に沿って延在する第１行〜第Ｍ行のＭ本の走査線２１と、ｙ軸に沿って延在する第１列〜第Ｎ列のＮ本のデータ線２２とが形成される。但し、Ｍ及びＮは自然数である。第１行の走査線２１は第１の走査線の一例、第２行の走査線２１は第２の走査線の一例である。また、第１列のデータ線２２は第１のデータ線の一例、第２列のデータ線は第２のデータ線の一例である。電気光学パネル１０では、走査線２１とデータ線２２との各交差に対応して縦Ｍ行×横Ｎ列の行列状に画素回路Ｐｘが配列される。
【００１０】
図１に示すように、駆動回路１０００は、駆動信号生成回路４００と、制御回路５００とを含む。また、駆動回路１０００は、外部装置２０００に信号線を介して接続された入力端子５７１及び５７２と、出力端子５８１及び５８２とを有する。
【００１１】
駆動回路１０００には、外部装置２０００から入力画像データと制御信号が供給される。ここで、入力画像データは、各画素回路Ｐｘで表示すべき階調を規定するデータを含む。例えば、入力画像データは各画素で表示すべき階調を８ビットで規定するデジタルデータであってもよい。また、制御信号には、垂直同期信号Ｖｓｙｎｃ、水平同期信号Ｈｓｙｎｃ等の同期信号が含まれる。これらの制御信号のうち垂直同期信号Ｖｓｙｎｃは、入力端子５７１を介して制御回路５００に入力され、水平同期信号Ｈｓｙｎｃは入力端子５７２を介して制御回路５００に入力される。
【００１２】
ここで、垂直同期信号Ｖｓｙｎｃは、垂直走査期間の開始を指示する同期信号であって、垂直走査期間の始めに１個のパルスを有する垂直スタートパルス信号である。また、水平同期信号Ｈｓｙｎｃは、水平走査期間の開始を指示する同期信号であって、水平走査期間の始めに１個のパルスを有する水平スタートパルス信号である。以下の説明では、1回の垂直走査を１垂直走査と呼び、１垂直走査に要する期間を１垂直走査期間と呼ぶ。また、1回の水平走査を１水平走査と呼び、１水平走査に要する期間を１水平走査期間と呼ぶ。
【００１３】
制御回路５００は、外部装置２０００から供給される同期信号に基づいて、各種の制御信号を発生し、駆動信号生成回路４００の制御を行う。また、制御回路５００は、外部装置２０００から供給される入力画像データに基づいて、電気光学パネル１０に表示すべき画像を示す表示画像データを生成し、駆動信号生成回路４００に対して出力する。
【００１４】
駆動信号生成回路４００は、電気光学パネル１０を駆動する駆動信号を生成する信号生成処理を行う回路である。この駆動信号生成回路４００は、走査線駆動回路１００と、データ線駆動回路２００と、電圧供給回路３００とを含む。制御回路５００は、入力端子５７１及び５７２を介して受け取った垂直同期信号Ｖｓｙｎｃ及び水平同期信号Ｈｓｙｎｃを走査線駆動回路１００に供給する。また、制御回路５００は、この垂直同期信号Ｖｓｙｎｃ及び水平同期信号Ｈｓｙｎｃをデータ線駆動回路２００に供給する。走査線駆動回路１００は、垂直同期信号Ｖｓｙｎｃが与えられる都度、Ｍ本の走査線２１を水平同期信号Ｈｓｙｎｃに同期して順次選択し、選択した走査線２１に対する走査信号をアクティブレベルにする。データ線駆動回路２００は、水平同期信号Ｈｓｙｎｃが与えられる都度、制御回路５００からＮ画素分の画像データＤｐを順次受け取り、このＮ画素分の画像データＤｐに対応したＮ画素分のアナログのデータ信号をＮ本のデータ線２２に出力する動作を繰り返す。また、制御回路５００は、戻り信号ＲＶＳ及びＲＨＳを出力端子５８１及び５８２から外部装置２０００に供給する。なお、戻り信号ＲＶＳ及びＲＨＳについては後述する。
【００１５】
走査線駆動回路１００は、電気光学パネル１０の走査線２１を駆動する駆動信号を生成する信号生成処理を行う回路である。データ線駆動回路２００は、電気光学パネル１０のデータ線２２を駆動する駆動信号を生成する信号生成処理を行う回路である。電圧供給回路３００は、電気光学パネル１０の共通電極３０に対する共通電圧、走査線駆動回路１００に対する電源電圧、データ線駆動回路２００に対する電源電圧等、各種の電圧を駆動信号として出力する回路である。
【００１６】
図２は、電気光学パネル１０に設けられた各画素回路Ｐｘの回路図である。同図に示すように、各画素回路Ｐｘは、液晶素子ＣＬと書込トランジスターＴｒとを含む。液晶素子ＣＬは、共通電極３０と、画素電極２４と、共通電極３０及び画素電極２４の間に設けられた液晶２５とを含む。ここで、共通電極３０は、電気光学パネル１０上の全ての画素の画素電極２４と対向している。電圧供給回路３００から供給される共通電圧ＶＣＯＭはこの共通電極３０に印加される。液晶素子ＣＬの液晶２５は、液晶素子ＣＬに印加される電圧、より正確には、共通電極３０と画素電極２４との間に印加される電圧に応じて、その透過率を変化させる。
【００１７】
本実施形態において、書込トランジスターＴｒは、走査線２１にゲートが接続されたＮチャネルトランジスターであり、液晶素子ＣＬとデータ線２２との間に設けられ、両者の電気的な接続を制御する。即ち液晶素子Ｃｌとデータ線２２の間を導通とするか、非導通とするかを制御する。駆動信号である走査信号Ｇ［ｉ］がアクティブレベルにされると、第ｉ行の各画素回路Ｐｘにおける書込トランジスターＴｒが同時にオン状態に遷移する。但し、ｉは、１からＭまでの自然数である。
【００１８】
画素回路Ｐｘに対応する走査線２１が選択され、当該画素回路Ｐｘの書込トランジスターＴｒがオン状態に制御されたタイミングにおいて、当該画素回路Ｐｘには、データ線２２から駆動信号であるデータ信号Ｖｄ［ｎ］が供給される。この結果、当該画素回路Ｐｘの液晶２５はデータ信号Ｖｄ［ｎ］に応じた透過率に設定されるため、当該画素回路Ｐｘに対応する画素はデータ信号Ｖｄ［ｎ］に応じた階調を表示する。
【００１９】
図３は走査線駆動回路１００の構成を示すブロック図である。走査線駆動回路１００は、シフトレジスター１０１を含む。このシフトレジスター１０１は、Ｍ本の走査線２１に対応したＭ個のステージからなり、水平同期信号Ｈｓｙｎｃに同期したクロックＣＬＫ１によって、垂直同期信号Ｖｓｙｎｃをシフトし、各ステージから電気光学パネル１０の各走査線２１に駆動信号である走査信号Ｇ［ｉ］を供給する。これにより第１行〜第Ｍ行の走査線２１が１水平走査期間Ｈ毎に１本ずつ順番に選択される。より具体的には、走査線駆動回路１００は、走査信号Ｇ［ｉ］をアクティブレベルにすることで、第ｉ行の走査線２１を選択する。
【００２０】
シフトレジスター１０１の最終ステージから出力されるパルスは、戻りの垂直同期信号ＲＶとして制御回路５００に供給される。この戻りの垂直同期信号ＲＶは、走査線駆動回路１００において、垂直同期信号Ｖｓｙｎｃに基づく１垂直走査期間分の信号生成処理が完了したことを示す。尚、戻りの垂直同期信号ＲＶは、垂直同期信号Ｖｓｙｎｃがシフトレジスター１０１の最終ステージから出力されるパルスであり、垂直同期信号Ｖｓｙｎｃそのものであるが、呼称の便宜上、戻りの垂直同期信号ＲＶと呼ぶ。
【００２１】
本実施形態において走査線駆動回路１００は、異常検出回路１０２を含む。この異常検出回路１０２は、垂直同期信号Ｖｓｙｎｃを監視し、垂直同期信号Ｖｓｙｎｃのパルスが正常なタイミングで発生しない場合に異常検出信号Ｅ１を出力する。異常検出信号Ｅ１の発生方法に関しては各種の態様が考えられるが、本実施形態では次のようにして異常検出信号Ｅ１を発生する。
【００２２】
Ｔ０を垂直同期信号Ｖｓｙｎｃの正常な周期、αを所定値とする。異常検出回路１０２は、垂直同期信号Ｖｓｙｎｃのパルスが現れると、そのタイミングからＴ０−αだけ経過した始期と、Ｔ０＋αだけ経過した終期とを設定する。この始期から終期までの期間内に垂直同期信号Ｖｓｙｎｃの次のパルスが現れなかった場合、異常検出回路１０２は、垂直同期信号Ｖｓｙｎｃに異常があったと判断し、異常検出信号Ｅ１を出力する。所定値αは、垂直同期信号Ｖｓｙｎｃに応じて動作する走査線駆動回路１００の特性から当該回路１００の許容範囲として任意に設定すれば良い。
【００２３】
図４はデータ線駆動回路２００の構成を示すブロック図である。データ線駆動回路２００は、データ線駆動制御部２０５と、アドレスデコーダー２０１と、第１レジスター部２０２と、第２レジスター部２０３と、アナログ出力部２０４と、異常検出回路２１１〜２１３とを含む。データ線駆動制御部２０５は、制御回路５００から水平同期信号Ｈｓｙｎｃが入力されるのに応じて、アドレスデータＡＤＲ、表示画像データＤＰ、クロックＣＬＫ２およびＣＬＫ３を制御回路５００から受け取ってデータ線駆動回路２００の各部に供給する動作を繰り返す。また、データ線駆動制御部２０５は、制御回路５００から水平走査信号Ｈｓｙｎｃが入力されるのに応じて、戻りの水平走査信号ＲＨを出力する。
【００２４】
第１レジスター部２０２は、Ｎ個のステージからなる。また、第２レジスター部２０３も、Ｎ個のステージからなる。第１レジスター部２０２及び第２レジスター部２０３の各ステージは、ｘ軸に沿って並んだ画素に対応している。
【００２５】
データ線駆動回路２００には、クロックＣＬＫ２に同期し、１画素分の表示画像データＤＰとアドレスデータＡＤＲが与えられる。クロックＣＬＫ２及び表示画像データＤＰは制御回路５００からデータ線駆動制御部２０５に供給され、データ線駆動制御部２０５か第１レジスター部２０２に出力されるものである。ここで、アドレスデータＡＤＲは、第１レジスター部２０２において１画素分の表示画像データＤＰの書き込み先となるステージの番号ｎを示すデータであり、１水平走査期間内に１からＮまで変化する。アドレスデコーダー２０１は、アドレスデータＡＤＲに基づいて、書込イネーブル信号Ａ［ｎ］を第１レジスター部２０２に出力する。但し、ｎは１からＮまでの自然数である。そして、アドレスデコーダー２０１は、書込イネーブル信号Ａ［ｎ］のうちアドレスデータＡＤＲが示す番号ｎに対応した書込イネーブル信号Ａ［ｎ］のみをアクティブレベルとし、他の書込イネーブル信号Ａ［≠ｎ］を非アクティブレベルとする。
【００２６】
第１レジスター部２０２では、各ステージのデータ入力端子に、制御回路５００からデータ線駆動制御部２０５を通じて供給される表示画像データＤＰが与えられる。また、第ｎ番目のステージには、書込イネーブル信号Ａ［ｎ］が与えられる。このため、１水平走査期間において、Ｎ画素分の表示画像データＤＰが第１レジスター部２０２のＮ個のステージに順次書き込まれる。
【００２７】
第２レジスター部２０３の各ステージのデータ入力端子には、第１レジスター部２０２の各ステージの出力データが与えられる。第２レジスター部２０３の各ステージのクロック入力端子にはクロックＣＬＫ３が与えられる。このクロックＣＬＫ３は、各水平走査期間において、第１レジスター部２０２のＮ個のステージへのデータ書き込みが完了する毎に１回発生するクロックである。第１レジスター部２０２のＮ個のステージに書き込まれたＮ画素分の表示画像データＤＰはクロックＣＬＫ３により第２レジスター部２０３のＮ個のステージに書き込まれる。
【００２８】
アナログ出力部２０４は、第２レジスター部２０３のＮ個のステージに記憶されたＮ画素分の表示画像データを画素毎にＤ／Ａ変換し、上述したデータ信号Ｖｄ［ｊ］として出力する。但し、ｊは１からんＮまでの自然数である。
【００２９】
データ線駆動回路２００は、水平同期信号Ｈｓｙｎｃに応じて、１水平走査期間分のデータ信号を生成する信号生成処理を終えると、戻りの水平同期信号ＲＨを制御回路５００に供給する。尚、戻りの水平同期信号ＲＨは、水平同期信Ｈｓｙｎｃがデータ線駆動回路２００の最終ステージから出力されるパルスであり、水平同期信号Ｈｓｙｎｃそのものであるが、呼称の便宜上、戻りの水平同期信号ＲＨと呼ぶ。
【００３０】
異常検出回路２１１は、１水平走査期間内に全ての書込イネーブル信号Ａ［ｊ］のパルスが発生するか否かを監視し、いずれかの書込イネーブル信号Ａ［ｊ］のパルスが発生しない場合に、異常検出信号Ｅ２を出力する。
【００３１】
異常検出回路２１２は、水平同期信号Ｈｓｙｎｃのパルスが正常なタイミングで発生するか否かを監視し、正常なタイミングでパルスが発生しない場合に異常検出信号Ｅ３を出力する。この異常検出信号Ｅ３の発生方法は、垂直同期信号Ｖｓｙｎｃに関する異常検出信号Ｅ１の発生方法と同様である。
【００３２】
本実施形態において、制御回路５００は、表示画像データＤＰから誤り検出データを生成し、この誤り検出データの付加された表示画像データをデータ線駆動回路２００に供給する。誤り検出データは例えばＣＲＣ（Cyclic Redundancy Check）符号である。
【００３３】
データ線駆動回路２００では、誤り検出データの付加された表示画像データＤＰから誤り検出データを取り除き、この誤り検出データの取り除かれた表示画像データから上述したデータ信号Ｖｄ［ｎ］を生成する。そして、異常検出回路２１３は、誤り検出データの取り除かれた表示画像データから誤り検出データを生成し、この誤り検出データと表示画像データに付加されていた誤り検出データとを照合する。異常検出回路２１３は、この照合により、表示画像データの誤り検出を行い、誤りがあった場合に異常検出信号Ｅ４を出力する。
【００３４】
図示は省略するが、電圧供給回路３００も異常検出回路を含んでいる。この異常検出回路は、電圧供給回路３００が走査線駆動回路１００に供給する電源電圧とデータ線駆動回路２００に供給する電源電圧を監視し、各電源電圧が設定した閾値を超えている又は閾値未満となっていることを検出した場合に異常検出信号を出力する。
【００３５】
図１に示すように、制御回路５００は、状態信号生成回路５１０と、戻り信号生成回路５２０と、出力回路５３０とを含む。状態信号生成回路５１０は、駆動信号生成回路４００の動作状態を監視し、動作状態を示す状態信号を生成する。ここで、動作状態は、駆動信号生成回路４００の動作が正常であること示す正常状態と、異常であることを示す異常状態とを含む。本実施形態において、状態信号生成回路５１０が生成する状態信号は、異常状態における異常の内容を示す。具体的には、状態信号生成回路５１０は、駆動信号生成回路４００内の異常検出回路１０２、２１１〜２１３等の出力信号を監視し、異常検出信号が出力された場合に、その異常検出信号を状態信号として出力する。戻り信号生成回路５２０は、戻りの垂直同期信号ＲＶに状態信号を重畳した戻り信号ＲＶＳと水平同期信号ＲＨに状態信号を重畳した戻り信号ＲＨＳを生成する。出力回路５３０は、出力端子５８１及び５８２から外部装置２０００へ戻り信号ＲＶＳ及びＲＨＳを出力する。
【００３６】
外部装置２０００では、戻り信号ＲＶＳ及びＲＨＳに重畳された状態信号に基づいて、駆動信号生成回路４００内において発生した異常を検知する。
【００３７】
図５は本実施形態の動作を示すタイムチャートである。この例では、制御回路５００において発生されるクロックＣＬＫ０に同期して戻りの垂直同期信号ＲＶ及び戻りの水平同期信号ＲＨが取り込まれ、状態信号の同期信号への重畳が行われる。
【００３８】
本実施形態では、戻りの垂直同期信号ＲＶに異常検出信号Ｅ１及びＥ２に対応する状態信号Ｅｒｒ１及びＥｒｒ２を重畳した戻り信号ＲＶＳが戻り信号生成回路５２０で生成される。
【００３９】
具体的には、例えば戻り信号ＲＶＳにおいて、戻りの垂直同期信号ＲＶのパルスの立ち下がりエッジのタイミングの後、クロックＣＬＫ０の２番目の立ち下がりエッジのタイミングから３番目の立ち下がりエッジのタイミングまでの期間が１ビット分の重畳可能期間となっている。異常検出信号Ｅ１に対応した状態信号Ｅｒｒ１が発生すると、この１ビット分の重畳可能期間がアクティブレベルとされる。
【００４０】
また、戻り信号ＲＶＳにおいて、戻りの垂直同期信号ＲＶのパルスの立ち下がりエッジのタイミングの後、クロックＣＬＫ０の４番目の立ち下がりエッジのタイミングから５番目の立ち下がりエッジのタイミングまでの期間も１ビット分の重畳可能期間となっている。異常検出信号Ｅ２に対応した状態信号Ｅｒｒ２が発生すると、この１ビット分の重畳可能期間がアクティブレベルとされる。なお、図示は省略したが、戻り信号ＲＨＳにも駆動信号生成回路４００の異常を示す状態信号が重畳される。
【００４１】
戻り信号ＲＶＳ及びＲＨＳにおいて、状態信号を重畳する期間は、状態信号の種類により定まっている。従って、外部装置２０００では、例えば戻り信号ＲＶＳにおいてパルスの発生タイミングと状態信号の発生タイミングとの時間差に基づいて状態信号の種類を判別することができる。外部装置２０００では、戻り信号ＲＶＳから状態信号を検出すると、その後の水平走査期間において、外部装置２０００の内部の状態信号に反映させる。図５には、状態信号Ｅｒｒ１及びＥｒｒ２を反映させた外部装置２０００の内部の状態信号Ｅｒｒ１ａ及びＥｒｒ２ａが例示されている。外部装置２０００では、この状態信号Ｅｒｒ１ａ及びＥｒｒ２ａに基づき、例えばアラームを出力する、あるいは電気光学装置１の動作を停止させる、といった制御が行われる。
【００４２】
本実施形態においては、駆動信号生成回路４００の動作の正常状態を検出する正常検出信号を、戻り信号生成回路５２０が状態信号として戻りの垂直同期信号ＲＶに重畳し、戻り信号ＲＶＳを生成することも可能である。また本実施形態においては異常検出信号を状態信号とする場合は、異常検出信号がない場合、状態信号は駆動信号生成回路４００の動作が正常状態であること示すこともできる。。同様に正常検出信号を状態信号とする場合は、正常検出信号がない場合、状態信号は駆動信号生成回路４００の動作が異常状態であること示すこともできる。
【００４３】
以上説明したように、本実施形態による駆動回路１０００は、外部装置２０００に接続された入力端子５７１及び５７２、並びに出力端子５８１及び５８２と、外部装置から入力端子を介して入力される同期信号を用いて電気光学パネル１０を駆動する駆動信号を生成する信号生成処理を行う駆動信号生成回路４００と、駆動信号生成回路４００の動作状態を示す状態信号を生成する状態信号生成回路５１０と、同期信号に状態信号を重畳した戻り信号を生成する戻り信号生成回路５２０と、出力端子５８１、５８２から外部装置２０００へ戻り信号を出力する出力回路５３０とを備える。これにより同期信号と状態信号とを別個に戻さずに、統合した信号として外部装置に戻すことができる。従って、本実施形態によれば、駆動回路１０００と外部装置２０００とを結ぶ経路の信号線数、端子数の増加を招くことなく、駆動信号生成回路４００の状態を示す状態信号を外部装置２０００に供給することができる。
【００４４】
また、本実施形態によれば、戻り信号生成回路５２０は、同期信号のパルスから所定時間が経過した後の期間に状態信号を重畳して戻り信号を生成する。これにより状態信号の種類により同期信号に重畳させるタイミングを異ならせことができる。従って、外部装置２０００は、戻り信号のパルスの発生タイミングから所定時間経過後のタイミングに重畳された状態信号を取り出すことで、駆動信号生成回路４００の異常の種類を判別するができ、適切な対応処置が可能となる。
【００４５】
また、本実施形態において、動作状態は、動作が正常であること示す正常状態と、異常であることを示す異常状態とを含み、状態信号は異常状態における異常の内容を示す。従って、外部装置２０００は、戻り信号から駆動信号生成回路４００の異常状態を検知することができる。
【００４６】
また、本実施形態において、駆動信号生成回路４００には、電気光学パネル１０に表示すべき画像を示す画像データ、電源電圧、及び駆動信号を生成するために用いる制御信号が供給され、状態信号の示す異常状態における異常の内容は、画像データに伝送エラーがあること、電源電圧に異常があること、及び制御信号に異常があることのうち、少なくなくも１つを含む。従って、外部装置２０００は、電気光学装置１において重要な異常状態を適切に検知することができる。
【００４７】
また、本実施形態において、駆動信号生成回路４００には、電気光学パネル１０に表示すべき画像を示す画像データ及び駆動信号を生成するために用いる制御信号が供給され、外部装置２０００は、画像データを生成するホスト装置又は、制御信号を生成する制御装置である。従って、本実施形態によれば、ホスト装置又は制御装置が駆動信号生成回路４００における異常の発生を検知することができる。
【００４８】
本実施形態において、電気光学パネル１０は、第１及び第２の走査線を含み、駆動信号生成回路４００は、第１及び第２の走査線を駆動する走査線駆動回路１００を備え、同期信号は、走査線駆動回路１００に対して１垂直走査に1個発信される垂直スタートパルス信号である。従って、本実施形態によれば、走査線駆動回路１００において発生する異常を検知することができる。
【００４９】
本実施形態において、電気光学パネル１０は、第１及び第２のデータ線を含み、駆動信号生成回路４００は、第１及び第２のデータ線を駆動するデータ線駆動回路２００を備え、同期信号は、データ線駆動回路２００に対して１水平走査に１個発信される水平スタートパルス信号である。従って、本実施形態によれば、データ線駆動回路２００において発生する異常を検知することができる。
【００５０】
Ｂ．第２実施形態
図６は第２実施形態である駆動回路１０００Ａの構成を示すブロック図である。上記第１実施形態では、制御回路５００に、状態信号生成回路５１０と、戻り信号生成回路５２０と、出力回路５３０とが設けられた。これに対し、本実施形態では、走査線駆動回路１００に、状態信号生成回路５１０Ｖと、戻り信号生成回路５２０Ｖと、出力回路５３０Ｖとが設けられ、データ線駆動回路２００に、状態信号生成回路５１０Ｈと、戻り信号生成回路５２０Ｈと、出力回路５３０Ｈとが設けられる。
【００５１】
走査線駆動回路１００では、同回路の状態を示す状態信号が状態信号生成回路５１０Ｖによって生成され、制御回路５００から入力端子５７１を介して入力される垂直同期信号Ｖｓｙｎｃが制御回路５００へ戻される、戻りの垂直同期信号ＲＶに状態信号を重畳した戻り信号ＲＶＳが戻り信号生成回路５２０Ｖによって生成される。そして、戻り信号ＲＶＳは出力回路５３０Ｖによって出力端子５８１から制御回路５００に出力される。
【００５２】
また、データ線駆動回路２００では、同回路の状態を示す状態信号が状態信号生成回路５１０Ｈによって生成され、制御回路５００から入力端子５７２を介して入力される水平同期信号Ｈｓｙｎｃが制御回路５００へ戻される、戻りの水平同期信号ＲＨに状態信号を重畳した戻り信号ＲＨＳが戻り信号生成回路５２０Ｈによって生成される。そして、戻り信号ＲＨＳは出力回路５３０Ｈによって出力端子５８２から制御回路５００に出力される。
【００５３】
本実施形態によれば、制御回路５００と走査線駆動回路１００及びデータ線駆動回路２００とを結ぶ経路の信号線数、端子数の著しい増加を招くことなく、走査線駆動回路１００の状態を示す状態信号とデータ線駆動回路２００の状態を示す状態信号を制御回路５００に供給することができる。
【００５４】
Ｃ．他の実施形態
以上、第１及び第２実施形態について説明したが、他にも実施形態があり得る。例えば次の通りである。
【００５５】
（１）上記各実施形態では、駆動信号生成回路４００の異常状態を検出し、同期信号に重畳したが、異常状態以外の状態、例えばスリープモード等の特定の動作状態を検出し、戻り信号に重畳してもよい。
【００５６】
（２）例えば上記第１実施形態において、外部装置２０００から駆動回路１０００に対し、走査線駆動回路１００、データ線駆動回路２００又は電圧供給回路３００のいずれかを指定する選択信号を送信する。戻り信号生成回路５２０は、状態信号生成回路５１０が生成する状態信号のうち選択信号により選択された回路の異常状態を示す状態信号を選択し、選択信号及び選択した状態信号を同期信号に重畳して戻り信号を生成する。この態様によれば、状態信号の種類数が多い場合でも、同期信号に一度に重畳する状態信号の量、具体的にはビット数を少なくすることができる。
【００５７】
（３）例えば上記第１実施形態において、状態信号生成回路５１０が生成する状態信号のうち少なくとも１つの状態信号が異常状態を示す場合に、その状態信号が状態信号Ｅｒｒ１、Ｅｒｒ２等のいずれであるかを示す識別信号を状態信号生成回路５１０が生成し、戻り信号生成回路５２０は、この識別信号を状態信号として同期信号に重畳してもよい。この態様においても、同期信号に一度に重畳する状態信号の量、具体的にはビット数を少なくすることができる。
【００５８】
（４）上記各実施形態では、電気光学パネル１０として液晶表示パネルを使用したが、実施形態はこれに限定されるものではない。例えばＯＬＥＤ（Organic Light-Emitting Diode；有機発光ダイオード）等の発光素子からなる表示パネル、電気泳動素子からなる表示パネル等、液晶表示パネル以外の電気光学パネル１０を備える電気光学装置１にも適用可能である。尚、上記各実施形態では、１つの外部装置２０００を有する形態を示したが、外部装置２０００における駆動回路５００への出力部と、駆動回路５００からの戻り信号の入力部とが別個の構成であっても良い。
【００５９】
Ｄ．応用例
以上の各形態に例示した電気光学装置１は、各種の電子機器に利用され得る。図７から図１０には、電気光学装置１を採用した電子機器の具体的な形態が例示されている。
【００６０】
図７は、上記電気光学装置１と同様な構成の電気光学装置１Ｒ、１Ｇ及び１Ｂを適用した投射型表示装置３１００の模式図である。投射型表示装置３１００は、相異なる表示色、具体的には赤色、緑色、及び青色に対応する３個の電気光学装置１Ｒ、１Ｇ、及び１Ｂを含む。照明光学系３１０１は、照明装置３１０２からの出射光のうち赤色成分ｒを電気光学装置１Ｒに供給し、緑色成分ｇを電気光学装置１Ｇに供給し、青色成分ｂを電気光学装置１Ｂに供給する。各電気光学装置１は、照明光学系３１０１から供給される各単色光を表示画像に応じて変調する光変調器として機能する。投射光学系３１０３は、各電気光学装置１からの出射光を合成して投射面３１０４に投射する。観察者は、投射面３１０４に投射された画像を視認する。
【００６１】
図８は、電気光学装置１を採用した可搬型のパーソナルコンピューター３２００の斜視図である。パーソナルコンピューター３２００は、各種の画像を表示する電気光学装置１と、電源スイッチ３２０１やキーボード３２０２が設置された本体部３２１０とを具備する。
【００６２】
図９は、電気光学装置１を適用した情報携帯端末（ＰＤＡ：Personal Digital Assistants）の構成例を示す図である。情報携帯端末３３００は、複数の操作ボタン３３０１及び電源スイッチ３３０２、並びに表示ユニットとしての電気光学装置１を備える。電源スイッチ３３０２を操作すると、住所録やスケジュール帳といった各種の情報が電気光学装置１に表示される。
【００６３】
なお、電気光学装置１が適用される電子機器としては、図７から図９に例示した機器のほか、携帯情報端末（ＰＤＡ），デジタルスチルカメラ、テレビ、ビデオカメラ、電子手帳、電子ペーパー、電卓、ワードプロセッサ、ワークステーション、テレビ電話、ＰＯＳ(Point of Ｓale system)端末、プリンター、スキャナー、複写機、ビデオプレーヤー、タッチパネルを備えた機器等などが挙げられる。
【００６４】
図１０は、電気光学装置１を適用した移動体の構成例を示す。移動体は、例えばエンジンやモーター等の駆動機構、ハンドルや舵等の操舵機構、各種の電子機器を備えて、地上や空や海上を移動する機器又は装置である。移動体として、例えば、車、飛行機、バイク、船舶、或いはロボット等を想定できる。図１０は移動体の具体例としての自動車３４００を概略的に示している。自動車３４００は、車体３４０１や車輪３４０２を有する。自動車３４００には、電気光学パネル１０と、駆動回路１０００と、自動車３４００の各部を制御する外部装置２０００が組み込まれている。外部装置２０００は例えばＥＣＵ（Electronic Control Unit）などを含むことができる。電気光学パネル１０は例えばメーターパネル等のパネル機器である。外部装置２０００は、ユーザーに提示するための画像を生成し、その画像を駆動回路１０００に送信する。駆動回路１０００は、受信した画像を電気光学パネル１０に表示する。例えば車速や燃料残量、走行距離、各種装置の設定等の情報が画像として表示される。
【符号の説明】
【００６５】
１，１Ｒ，１Ｇ，１Ｂ…電気光学装置、１０…電気光学パネル、２１…走査線、２２…データ線、Ｐｘ…画素回路、１０００…駆動回路、１００…走査線駆動回路、２００…データ線駆動回路、３００…電圧供給回路、４００…駆動信号生成回路、５００…制御回路、２０００…外部装置、Ｔｒ…書込トランジスター、２４…画素電極、２５…液晶、３０…共通電極、ＣＬ…液晶素子、５１０…状態信号生成回路、５２０…戻り信号生成回路、５３０…出力回路、１０２，２１１，２１２，２１３…異常検出回路、２０１…アドレスデコーダー、２０２…第１レジスター部、２０３…第２レジスター部、２０４…アナログ出力部、３１００…投射型表示装置、３１０１…照明光学系、３１０２…照明装置、３１０３…投射光学系、３２００…パーソナルコンピューター、３２０１…電源スイッチ、３２０２…キーボード、３２１０…本体部、３３００…携帯電話機、３３０１…操作ボタン、３３０２…スクロールボタン、３４００…自動車、３４０１…車体、３４０２…車輪。
【図１】
2020160104.tif 000003
【図２】
2020160104.tif 000004
【図３】
2020160104.tif 000005
【図４】
2020160104.tif 000006
【図５】
2020160104.tif 000007
【図６】
2020160104.tif 000008
【図７】
2020160104.tif 000009
【図８】
2020160104.tif 000010
【図９】
2020160104.tif 000011
【図１０】
2020160104.tif 000012